(57)【要約】【課題】  クラック誘発効果を得ながら、コンクリート構造物の断面欠損を小さく抑えることができる誘発目地プレート、およびこの誘発目地プレートを用いたコンクリート構造体のクラック誘発構造を提供する。【解決手段】  誘発目地プレート１は、短冊状の薄板２の片面に、複数のアンカー３を長手方向に並べて突設してなる。この誘発目地プレート１を、コンクリート構造体成形用の型枠内に、前記アンカー３を内向きとして型枠パネルに接して配置する。これにより、成形されるコンクリート構造体のクラック誘発目地を構成する。アンカー３は、先端に拡径頭部３ａを有し、かつ薄板２のアンカー３を突設した片面とは反対側の片面に開口するボルト螺合用ねじ孔３ｂを有する円筒状である。【選択図】      図１
2009270394.tif 000002
【特許請求の範囲】
【請求項１】
短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体にクラック誘発目地を構成するようにした誘発目地プレートであって、
前記アンカーを、先端に拡径頭部を有し、かつ前記薄板のアンカーを突設した片面とは反対側の片面に開口するボルト螺合用ねじ孔を有する円筒状としたことを特徴とする誘発目地プレート。
【請求項２】
請求項１において、前記アンカーの先端の拡径頭部は、前記ボルト螺合用のねじ孔に螺合するボルトに押されて開口可能である誘発目地プレート。
【請求項３】
請求項１または請求項２に記載の誘発目地プレートと鉄筋を含むコンクリート構造体のクラック誘発構造であって、
前記誘発目地プレートのアンカーを突設した片面が前記コンクリート構造体内を向き、その片面とは反対側の片面が、前記コンクリート構造体の外面の一部として露出するように、誘発目地プレートを縦長に配置したことを特徴とするコンクリート構造体のクラック誘発構造。
【発明の詳細な説明】
【技術分野】
【０００１】
この発明は、型枠内に配置することで、打設後のコンクリート構造体の表面の予め想定した部位に限定してクラックを誘発させ、他の箇所でのクラックの発生を防止するための誘発目地プレート、およびこの誘発目地プレートを用いたコンクリート構造体のクラック誘発構造に関する。
【背景技術】
【０００２】
鉄筋コンクリート構造体の躯体表面では、打設したコンクリートの硬化収縮によるクラック発生が避けられないが、そのクラックが任意の多数箇所に発生すると、美観を損なうだけでなく、水の浸入による鉄筋の腐食等が生じて躯体強度の低下を招く。
そこで、このような躯体強度の低下を防止するために、図７のように、コンクリート構造体２０のコンクリート表面に縦長の凹部とした誘発目地を形成する手法が、従来より採用されている。
【特許文献１】実用新案登録第３１２１６５８号公報
【発明の開示】
【発明が解決しようとする課題】
【０００３】
しかし、図７に示した従来の誘発目地は、コンクリート構造体２０のコンクリート表面に凹部を形成するものであるため、図８に示す横断面において、誘発目地２０ａの部分が断面欠損となりやすい。そこで、コンクリート構造体２０の有効断面が確保されない場合は、コンクリートを打ち増しし、断面を大きくしなければならないが、コンクリートの打ち増しができない場合は、誘発目地を形成することができない。
【０００４】
また、上記構造の誘発目地２０ａにひび割れが誘発された場合、下側よりひび割れ箇所に順次エポキシ系接着剤を充填して補修を行なっているが、これでは誘発目地２０ａの表面にエポキシ系接着剤が残るなど、補修跡が汚損されて美観を損なうことになる。
【０００５】
この発明の目的は、クラック誘発効果を得ながら、コンクリート構造物の断面欠損を小さく抑えることができる誘発目地プレート、およびこの誘発目地プレートを用いたコンクリート構造体のクラック誘発構造を提供することである。
この発明の他の目的は、誘発目地に発生したひび割れの補修を、美観を損なうことなく容易に行うことのできる誘発目地プレート、およびこの誘発目地プレートを用いたコンクリート構造体のクラック誘発構造を提供することである。
【課題を解決するための手段】
【０００６】
この発明の誘発目地プレートは、短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体にクラック誘発目地を構成するようにした誘発目地プレートであって、前記アンカーを、先端に拡径頭部を有し、かつ前記薄板のアンカーを突設した片面とは反対側の片面に開口するボルト螺合用ねじ孔を有する円筒状としたことを特徴とする。
この構成の誘発目地プレートを用いると、コンクリート構造体における各アンカーの先端が、クラックの誘発箇所となり、クラックの発生する部位を予想箇所のみに限定させ、他の箇所でのクラックの発生を防ぐことができる。この誘発目地プレートは、薄板にアンカーを突設したものであるため、誘発目地となる溝部を形成する場合に比べて、コンクリート構造体の断面欠損部を小さくすることができる。そのため、コンクリーの断面の打ち増しが不要となる。また、例えば、住宅の布基礎となるコンクリート構造体などのような、断面を変更し難い箇所にも使用することができる。誘発目地は薄板で埋まっていて、コンクリート構造体の表面に凹部ができないので、目止めの必要がなくて、仕上げも行い易い。
特に、アンカーを、先端に拡径頭部を有し、かつ前記薄板のアンカーを突設した片面とは反対側の片面に開口するボルト螺合用ねじ孔を有する円筒状としているので、コンクリート構造体の成形において、脱型後にコンクリート表面に露出する誘発目地プレートにおけるアンカーのねじ孔にボルトを螺合して締め込むことで、アンカーにコンクリート表面側への引っ張り力を付与でき、より一層のクラック誘発効果を得ることができる。
【０００７】
この発明において、前記アンカーの先端の拡径頭部は、前記ボルト螺合用のねじ孔に螺合するボルトに押されて開口可能としても良い。
このように、アンカーのねじ孔に螺合するボルトでアンカーの先端の拡径頭部を開口できると、コンクリート構造体における誘発目地にひび割れが誘発されたときに、ボルトに替えてエポキシ樹脂充填用の補修用具をアンカーのねじ孔に差し込むことで、そのねじ孔から拡径頭部の開口を経てひび割れ箇所にエポキシ系樹脂を充填できるので、誘発目地に発生したひび割れの補修を、美観を損なうことなく容易に行うことができる。また、ひび割れ誘発手段と補修手段が合体しているので、合理的である。
【０００８】
この発明のコンクリート構造体のクラック誘発構造は、この発明の上記いずれかの構成の誘発目地プレートと鉄筋を含むコンクリート構造体のクラック誘発構造であって、前記誘発目地プレートのアンカーを突設した片面が前記コンクリート構造体内を向き、その片面とは反対側の片面が、前記コンクリート構造体の外面の一部として露出するように、誘発目地プレートを縦長に配置したことを特徴とする。
この構成によると、コンクリートの硬化収縮によるクラックを、誘発目地プレートにより構成される目地部分に限定して誘発させることができ、かつ断面欠損も小さく抑えることがきて、有効断面を得るためのコンクリートの打ち増しが不要となる。また、コンクリート構造体の表面にクラック誘発目地としての凹部ができないので、仕上げが容易となる。また、コンクリート表面に露出する誘発目地プレートにおけるアンカーのねじ孔にボルトを螺合させて締め込むと、先端の拡径頭部でコンクリートに定着したアンカーにコンクリート表面側への引っ張り力を付与でき、より一層のクラック誘発効果を得ることができる。
【発明の効果】
【０００９】
この発明の誘発目地プレートは、短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体にクラック誘発目地を構成するようにした誘発目地プレートであって、前記アンカーを、先端に拡径頭部を有し、かつ前記薄板のアンカーを突設した片面とは反対側の片面に開口するボルト螺合用ねじ孔を有する円筒状としたため、クラックの発生部位を予め特定箇所に限定する優れたクラック誘発効果を得ながら、コンクリート構造体の断面欠損を小さく抑えることができる。そのため、有効断面を得るためのコンクリートの打ち増しが不要となり、住宅の基礎等の断面を変更し難い箇所にも適用できる。また、誘発目地プレートがあるために目止めの必要がなく、仕上げも容易となる。
前記アンカーの先端の拡径頭部を、前記ボルト螺合用のねじ孔に螺合するボルトに押されて開口可能なものとした場合は、円筒状のアンカーを補修用の注入口に兼用でき、ひび割れ誘発手段と補修手段とが合体されたものとなって合理的であり、また補修跡を綺麗にできる。
【００１０】
この発明のコンクリート構造体のクラック誘発構造は、前記発明の誘発目地プレートと鉄筋を含むコンクリート構造体のクラック誘発構造であって、前記誘発目地プレートのアンカーを突設した片面が前記コンクリート構造体内を向き、その片面とは反対側の片面が、前記コンクリート構造体の外面の一部として露出するように、誘発目地プレートを縦長に配置したため、クラックの発生部位を予め特定箇所に限定するクラック誘発効果を得ながら、断面欠損を小さく抑えることができて、有効断面を得るためのコンクリートの打ち増しが不要となり、仕上げも容易となる。
【発明を実施するための最良の形態】
【００１１】
この発明の一実施形態を図１ないし図６と共に説明する。図１（Ａ）はこの実施形態の誘発目地プレートの正面図を示し、図１（Ｂ），（Ｃ）はその側面図および底面図を示す。この誘発目地プレート１は、短冊状の薄板２の片面に、複数のアンカー３を長手方向に並べて突設したものであり、全体の材質は樹脂や金属からなる。図示の例では、アンカー３は薄板２の両端の２箇所とされている。アンカー３は、図１（Ｄ）に拡大断面図で示すように、先端に拡径頭部３ａを有し、かつ前記薄板２のアンカー３を突設した片面とは反対側の片面に開口するボルト螺合用のねじ孔３ｂを有する円筒状とされている。ねじ孔３ｂは、雌ねじの形成された孔である。拡径頭部３ａは、アンカー３の円筒状の胴部の先端を蓋する部分と、その外周の全周に鍔状に突出する部分とが一体に形成された円板状である。
【００１２】
また、アンカー３の先端の拡径頭部３ａは、図６（Ａ）のように、ボルト螺合用のねじ孔３ｂに螺合するボルト１１に押されて開口可能とされている。具体的には、前記拡径頭部３ａにおける軸方向の厚みは、図示のような先細りのボルト１１をアンカー３にねじ込むことで、ボルト１１に押されて開口可能な寸法とされている。ボルト１１としては、その軸部１１ｂの先端に円錐状部１１ｂａを有するものを用る。そのボルト頭部１１ａが誘発目地プレート１の表面に接した後もさらに締め込み続けると、前記円錐状部１１ｂａに押されてアンカー拡径頭部３ａに開口３ｃが生じる。
【００１３】
図２は、前記誘発目地プレート１を用いてコンクリート構造体にクラック誘発構造を構成する施工手順の一例を示す。例えばコンクリート構造体として建物の布基礎を成形する場合、先ず図２（Ａ）のようにコンクリート打設前の型枠４内に、その型枠パネル５に接するように誘発目地プレート１を縦長に配置する。このとき、誘発目地プレート１は、そのアンカー３が内向きとなるように配置し、その上下端を固定金具６を用いて型枠パネル５の上下端に固定する。誘発目地プレート１を配置する位置は、成形されるコンクリート構造体１０（図４）の表面における予めクラックの誘発を想定した部位とする。
【００１４】
この後、図２（Ｂ）のように、前記誘発目地プレート１のほかに配筋７等を配置してから、型枠４内にコンクリート８を打設する。このようにして成形されたコンクリート構造体１０では、図４に斜視図で示すように、誘発目地プレート１のアンカー３を突設した片面とは反対側の片面が、コンクリート構造体１０の外面の一部として縦長に露出する。建て方時には、この誘発目地プレート１の表面に開口するアンカー３のねじ孔３ｂに図３のようにボルト１１をねじ込む。これにより、誘発目地プレート１がコンクリート構造体１０のクラック誘発目地１０ａを構成する。この場合、誘発目地プレート１のアンカー３は、その先端に拡径頭部３ａを有する円筒状とされているので、誘発目地プレート１をコンクリート８に確実に定着させることができる。なお、図４における布基礎としたコンクリート構造体１０では、その基礎床下側に９１０mm間隔で、前記誘発目地プレート１からな
るクラック誘発目地１０ａが配置されている。また、その基礎外側には４５５mm間隔で従
来のクラック誘発目地１０ｂが配置されている。
【００１５】
上記構成の誘発目地プレート１を用いると、コンクリート構造体１０における各アンカー３の先端が、クラックａ（図３（Ｂ））の誘発箇所となり、クラックａの発生する部位を予想箇所のみに限定させ、他の箇所でのクラックの発生を防ぐことができる。この誘発目地プレート１は、薄板２にアンカー３を突設したのものであるため、誘発目地となる溝部を形成する場合に比べて、コンクリート構造体１０の断面欠損部を小さくすることができる。そのため、有効断面を確保するためのコンクリー断面の打ち増しが不要となる。また、例えば、住宅の布基礎となるコンクリート構造体などのような、断面を変更し難い箇所にも使用することができる。
【００１６】
特に、アンカー３は、薄板２のアンカー３を突設した片面とは反対側の片面に開口するボルト螺合用のねじ孔３ｂを有する円筒状としているので、図３のように、コンクリート構造体１０の成形において、脱型後にコンクリート表面に露出する誘発目地プレート１におけるアンカー３のねじ孔３ｂにボルト１１を螺合して締め込むことで、アンカー３にコンクリート表面側への引っ張り力を付与でき、より一層のクラック誘発効果を得ることができる。
【００１７】
また、アンカー３の先端の拡径頭部３ａは、図６（Ａ）のようにボルト螺合用のねじ孔３ｂに螺合するボルト１１に押されて開口可能としているので、補修時の補修剤充填口に利用できる。すなわち、コンクリート構造体１０におけるクラック誘発目地１０ａにひび割れが誘発されたときに、図６（Ｂ）のようにボルト１１に替えて、補修剤となるエポキシ樹脂の充填用の補修用具１３をアンカー３のねじ孔３ｂに差し込むことができる。これにより、ねじ孔３ｂから拡径頭部３ａの開口３ｃを経てひび割れ箇所にエポキシ系樹脂を充填できる。このため、クラック誘発目地１０ａに発生したひび割れの補修を容易に行うことができ、また補修跡を綺麗にでき、美観を損なうことなく補修を容易に行うことができる。
【００１８】
また、上記誘発目地プレート１を用いたコンクリート構造体１０のクラック誘発目地１０ａでは、薄板２で埋まっていて、コンクリート構造体１０の表面にクラック誘発目地１０ａとしての凹部ができないので、目止めの必要がなく、仕上げが容易となる。
【図面の簡単な説明】
【００１９】
【図１】（Ａ），（Ｂ），（Ｃ）はこの発明の一実施形態にかかる誘発目地プレートの正面図，側面図，底面図、（Ｄ）は同部分拡大断面図である。
【図２】同誘発目地プレートを用いてコンクリート構造体にクラック誘発構造を構成する施工手順の一例を示す説明図である。
【図３】コンクリート構造体に用いた同誘発目地プレートのアンカーに引っ張り力を付与する手順の説明図である。
【図４】同誘発目地プレートを用いたコンクリート構造体の一例を示す斜視図である。
【図５】同誘発目地プレートからなるクラック誘発目地に誘発されたクラックの説明図である。
【図６】同誘発目地プレートからなるクラック誘発目地に誘発されたクラックの補修手順の説明図である。
【図７】従来例の説明図である。
【図８】従来例による断面欠損の説明図である。
【符号の説明】
【００２０】
１…誘発目地プレート
２…薄板
３…アンカー
３ａ…拡径頭部
３ｂ…ボルト螺合用ねじ孔
３ｃ…開口
４…型枠
５…型枠パネル
７…配筋
１０…コンクリート構造体
１０ａ…クラック誘発目地
１１…ボルト
【図１】
2009270394.tif 000003
【図２】
2009270394.tif 000004
【図３】
2009270394.tif 000005
【図４】
2009270394.tif 000006
【図５】
2009270394.tif 000007
【図６】
2009270394.tif 000008
【図７】
2009270394.tif 000009
【図８】
2009270394.tif 000010